(57)【要約】【課題】  報知音の音量が適切な照明装置を提供する。【解決手段】  放電灯に電力を供給して点灯させる点灯回路と、点灯回路を制御する制御部３と、制御部３に制御されて放電灯の点灯状態の変化等を報知する報知音を出力する音出力部４とを備える。制御部３は、放電灯を調光点灯させているときには、放電灯を全光点灯させているときよりも報知音の音量を小さくする。使用者がリラックスする可能性が高い調光点灯時には報知音の音量を比較的に低くして不快感を低減し、使用者が覚醒しており使用者の耳に他の音が入っている可能性が高い全光点灯時には報知音の音量を比較的に大きくして報知音を聞き取りやすくすることになる。従って、報知音の音量を一定とする場合に比べて報知音をより適切な音量としているということができる。【選択図】図１
2007005255.tif 000002
【特許請求の範囲】
【請求項１】
使用者に操作される操作部、操作部に加えられた操作に応じた制御信号を生成する信号生成部、並びに、信号生成部によって制御され制御信号をワイヤレス信号として送信する送信部を有するリモコンユニットと、
全光点灯と全光点灯よりも光源の光出力を低下させる調光点灯とで光源の点灯が可能な点灯部と、リモコンユニットの送信部が送信する制御信号を受信する受信部と、受信部に受信された制御信号に応じて点灯部を制御する制御部と、受信部に制御信号が受信されたときに制御部に制御されて受信を報知する報知音を出力する音出力部とを有する本体ユニットとを備え、
制御部は、音出力部を制御する際、光源を調光点灯させているときには、光源を全光点灯させているときよりも、報知音の音量を小さくすることを特徴とする照明装置。
【請求項２】
本体ユニットは、光源の消灯時のみ点灯される常夜灯を備え、制御部は、常夜灯が点灯しているときには、光源の点灯時よりも報知音の音量を小さくすることを特徴とする請求項１記載の照明装置。
【請求項３】
本体ユニットは、音出力部と常夜灯とにそれぞれ電力を供給する電源部を備えることを特徴とする請求項２記載の照明装置。
【請求項４】
本体ユニットは、周囲の照度を検出する照度検出部を備え、制御部は、照度検出部によって検出された照度が所定の閾値を越えている場合に、照度検出部によって検出された照度が所定の閾値を越えていない場合よりも報知音の音量を大きくすることを特徴とする請求項１〜３のいずれか記載の照明装置。
【請求項５】
本体ユニットは、周囲の音を検出する音検出部を備え、制御部は、音検出部によって検出された音の音量が大きいほど報知音の音量を大きくすることを特徴とする請求項１〜４のいずれか記載の照明装置。
【請求項６】
制御部は、報知音の音量に応じて報知音の音質を変更することを特徴とする請求項１〜５のいずれか記載の照明装置。
【請求項７】
制御部は、受信部に受信された制御信号に基いて点灯部及び音出力部をそれぞれ制御するものであって、
リモコンユニットの操作部は、光源の調光レベルと報知音の音量との一方が使用者によって択一的に選択される操作切替手段と、使用者によって操作され光源の光出力又は報知音の音量のうち操作切替手段において選択されたものの増減が指定される調整手段とを含むことを特徴とする請求項１〜６のいずれか記載の照明装置。
【発明の詳細な説明】
【技術分野】
【０００１】
本発明は、使用者に操作されるリモコンユニットから光源を保持する本体ユニットへのワイヤレス信号の受信成功を音で報知する照明装置に関するものである。
【背景技術】
【０００２】
従来から、使用者によって操作されて制御信号をワイヤレス信号として送信するリモコンユニットと、壁面や天井などの施行面に取り付けられて光源を保持し受信された制御信号に応じて光源を制御する本体ユニットとを備える照明器具において、本体ユニットに、制御信号の受信に成功したことを報知する報知音を発する音出力部を設けたものがある（例えば、特許文献１参照）。
【０００３】
制御信号が入力されたことを光源の点灯状態だけではなく報知音によっても認識することができるから、報知音が出力されない場合に比べて操作が行いやすくなるものである。
【特許文献１】特開２００４−２９６２０６号公報
【発明の開示】
【発明が解決しようとする課題】
【０００４】
しかし、上記従来の照明装置では、報知音の音量が一定であったため、就寝前に調光点灯に切り替えたときに報知音の音量が大きすぎて耳障りとなることや、逆に全光点灯に切り替えたときに報知音の音量が小さすぎて使用者に知覚されないことがあった。
【０００５】
本発明は上記事由に鑑みて為されたものであり、その目的は、報知音の音量が適切な照明装置を提供することにある。
【課題を解決するための手段】
【０００６】
請求項１の発明は、使用者に操作される操作部、操作部に加えられた操作に応じた制御信号を生成する信号生成部、並びに、信号生成部によって制御され制御信号をワイヤレス信号として送信する送信部を有するリモコンユニットと、全光点灯と全光点灯よりも光源の光出力を低下させる調光点灯とで光源の点灯が可能な点灯部と、リモコンユニットの送信部が送信する制御信号を受信する受信部と、受信部に受信された制御信号に応じて点灯部を制御する制御部と、受信部に制御信号が受信されたときに制御部に制御されて受信を報知する報知音を出力する音出力部とを有する本体ユニットとを備え、制御部は、音出力部を制御する際、光源を調光点灯させているときには、光源を全光点灯させているときよりも、報知音の音量を小さくすることを特徴とする。
【０００７】
この発明によれば、使用者がリラックスする可能性が高い調光点灯時には報知音の音量を比較的に低くして不快感を低減し、使用者が覚醒しており使用者の耳に他の音が入っている可能性が高い全光点灯時には報知音の音量を比較的に大きくして報知音を聞き取りやすくしているから、報知音の音量を一定とする場合に比べて報知音をより適切な音量としているということができる。
【０００８】
請求項２の発明は、請求項１の発明において、本体ユニットは、光源の消灯時のみ点灯される常夜灯を有し、制御部は、常夜灯が点灯しているときには、光源の点灯時よりも報知音の音量を小さくすることを特徴とする。
【０００９】
この発明によれば、使用者がリラックスする可能性が高い常夜灯点灯時に報知音の音量を比較的に低くして不快感を低減することができる。
【００１０】
請求項３の発明は、請求項２の発明において、本体ユニットは、音出力部と常夜灯とにそれぞれ電力を供給する電源部を有することを特徴とする。
【００１１】
この発明によれば、音出力部と常夜灯とに共通の電源部から電力を供給しながらも、常夜灯点灯時には報知音の音量が小さくされることにより音出力部の消費電力が低減されるから、報知音の音量を一定とする場合に比べ、電源部にかかる電気的ストレスや、熱や電磁ノイズの発生が低減される。
【００１２】
請求項４の発明は、請求項１〜３のいずれかの発明において、本体ユニットは、周囲の照度を検出する照度検出部を有し、制御部は、照度検出部によって検出された照度が所定の閾値を越えている場合に、照度検出部によって検出された照度が所定の閾値を越えていない場合よりも報知音の音量を大きくすることを特徴とする。
【００１３】
この発明によれば、使用者がリラックスする可能性が高い暗い時には報知音の音量を比較的に低くして不快感を低減し、使用者が覚醒しており使用者の耳に他の音が入っている可能性が高い明るい時には報知音の音量を比較的に大きくして報知音を聞き取りやすくしている。
【００１４】
請求項５の発明は、請求項１〜４のいずれかの発明において、本体ユニットは、周囲の音を検出する音検出部を有し、制御部は、音検出部によって検出された音の音量が大きいほど報知音の音量を大きくすることを特徴とする。
【００１５】
この発明によれば、周囲の騒音などの状況に応じて報知音の音量を大きくすることになるから、報知音をより確実に聞き取れるようにすることができる。
【００１６】
請求項６の発明は、請求項１〜５のいずれかの発明において、制御部は、報知音の音量に応じて報知音の音質を変更することを特徴とする。
【００１７】
この発明によれば、音量だけでなく音質をも変更することにより、報知音をより適切なものとすることができる。
【００１８】
請求項７の発明は、請求項１〜６のいずれかの発明において、制御部は、受信部に受信された制御信号に基いて点灯部及び音出力部をそれぞれ制御するものであって、リモコンユニットの操作部は、光源の調光レベルと報知音の音量との一方が使用者によって択一的に選択される操作切替手段と、使用者によって操作され光源の光出力又は報知音の音量のうち操作切替手段において選択されたものの増減が指定される調整手段とを含むことを特徴とする。
【００１９】
この発明によれば、調整手段を光源の光出力と報知音の音量とに対して別途に設ける場合に比べ、操作部に必要な面積や部品点数を減少させ、リモコンユニットの小型化や製造コストの低減が可能となる。
【発明の効果】
【００２０】
本発明によれば、光源を調光点灯させているときには、光源を全光点灯させているときよりも報知音の音量を小さくすることにより、使用者がリラックスする可能性が高い調光点灯時には報知音の音量を比較的に低くして不快感を低減し、使用者が覚醒しており使用者の耳に他の音が入っている可能性が高い全光点灯時には報知音の音量を比較的に大きくして報知音を聞き取りやすくしているから、報知音の音量を一定とする場合に比べて報知音をより適切な音量としているということができる。
【発明を実施するための最良の形態】
【００２１】
以下、本発明を実施するための最良の形態について、図面を参照しながら説明する。
【００２２】
本実施形態は、それぞれ使用者によって押操作される操作部としての複数個の押釦Ｂ１〜Ｂ７を有し押釦Ｂ１〜Ｂ７に加えられた操作に応じた制御信号を例えば赤外光を媒体とするワイヤレス信号として送信するように構成されたリモコンユニットＭＵ（図４参照）と、放電灯Ｌａを保持するとともに例えば天井（図示せず）のような施行面に固定されるハウジング７１を有しリモコンユニットＭＵから送信された制御信号に基いて放電灯Ｌａを制御する本体ユニットＦＵ（図９参照）とからなる。
【００２３】
本体ユニットＦＵは、図２に示す点灯回路を備える。この点灯回路は、フィルタＦを介して交流電源ＡＣに接続され直流電力を出力するＰＦＣ（Power Factor Correction：力率改善）部１１と、ＰＦＣ部１１が出力した直流電力を交流電力に変換して放電灯Ｌａに供給するインバータ部１２とを備える。
【００２４】
詳しく説明すると、ＰＦＣ部１１は、周知の昇圧チョッパ回路からなり、入力された交流電力を全波整流するダイオードブリッジＤＢと、ダイオードブリッジＤＢの出力端間に接続されたインダクタＬ１とダイオードＤ１と平滑コンデンサＣ５，Ｃ６との直列回路と、例えばＦＥＴからなりコンデンサＣ５，Ｃ６とダイオードＤ１との直列回路に対して並列に接続された第１のスイッチング素子Ｑ１とを備える。なお、ＰＦＣ部１１の回路は周知であるので、動作に関する詳細な説明は省略する。
【００２５】
また、インバータ部１２は、周知のハーフブリッジ形のインバータ回路であって、ＰＦＣ部１１の出力端間に接続された第２及び第３のスイッチング素子Ｑ２，Ｑ３の直列回路と、ローサイドの第３のスイッチング素子Ｑ３の両端間に放電灯Ｌａとともに直列に接続された共振インダクタＬ２と２個の直列コンデンサＣ１８，Ｃ１１の直列回路と、一端が共振インダクタＬ２とコンデンサＣ１８との接続点に接続され他端が接地された並列コンデンサＣ９とを備える。つまり、第２のスイッチング素子Ｑ２と第３のスイッチング素子Ｑ３とが交互にオンオフされると共振が発生し、放電灯Ｌａに交流電力が供給されるものである。また、２個の直列コンデンサ１８，Ｃ１１の間と、放電灯Ｌａにおいて直列コンデンサＣ１４が接続されていない側のフィラメントとの間には、第１のトランスＴ１の１次巻線が接続されている。第１のトランスＴ１の１次巻線にはタップを設けてあり、このタップが第３のスイッチング素子Ｑ３に接続されることにより、放電灯Ｌａは第１のトランスＴ１の１次巻線の一部を介して第３のスイッチング素子Ｑ３に接続されている。第１のトランスＴ１の２次巻線は、一端が接地されて他端が例えば放電灯Ｌａの異常を検出するための異常検出回路に接続される。さらに、第３のスイッチング素子Ｑ３の両端間には、コンデンサＣ１２と第２のトランスＴ２の１次巻線との直列回路が接続されており、第２のトランスＴ２の２次巻線及び３次巻線はそれぞれコンデンサＣ１３，Ｃ１４を介して放電灯Ｌａのフィラメントの両端間に接続されている。つまり、起動時には、第２のトランスＴ２の２次巻線と３次巻線とにそれぞれ誘導される電流により、放電灯Ｌａのフィラメントが予熱される。なお、インバータ部１２の回路は周知であるので、動作に関する詳細な説明は省略する。
【００２６】
さらに、点灯回路は、例えば周知のインバータ駆動用ＩＣからなり、第１のスイッチング素子Ｑ１をオンオフ制御することによりＰＦＣ部１１の出力を略一定に保つとともに、入力される調光信号に応じた周波数で第２及び第３のスイッチング素子Ｑ２，Ｑ３を交互にオンオフする駆動部１３を備える。調光信号は、例えばＰＷＭ制御に用いられるパルス信号である。放電灯Ｌａを調光点灯させるときには、駆動部Ｌａは例えば、共振インダクタＬ２や直列コンデンサＣ１８，Ｃ１１や並列コンデンサＣ９や放電灯Ｌａによって決定する共振周波数に対し、第２のスイッチング素子Ｑ２と第３のスイッチング素子Ｑ３とを交互にオンオフする周波数を高くし、放電灯Ｌａに供給される電力を減少させることにより、放電灯Ｌａの光出力を低下させる。
【００２７】
また、本体ユニットＦＵは、図１に示すように、リモコンユニットＭＵから送信された制御信号を受信する受信部２と、受信部２に受信された制御信号に応じた調光信号を生成し点灯回路の駆動部１３に入力する制御部３とを有する。受信部２は、制御信号が赤外光を媒体とする場合には例えばフォトダイオードを有する。制御部３は、例えばＭＰＵからなり、コレクタが一定電圧Ｖｃｃに維持されエミッタが駆動部１３に接続されたトランジスタＴｒ１をオンオフすることにより調光信号を生成する。さらに、スピーカＳＰと、スピーカＳＰに入力される電気信号を増幅する増幅部４１と、例えば抵抗Ｒ１を介して増幅部４１に接続されたＩＣからなり制御部３によって制御され増幅部４１を介してスピーカＳＰを駆動することによりスピーカＳＰから音を出力させる音生成部４２とからなる音出力部４を備える。制御部３は、制御信号が受信されたときには、制御信号に従った調光信号を駆動部１３に入力するとともに、制御信号の内容に応じた報知音をスピーカＳＰに発生させる。報知音としては、電子音や音声を用いることができる。また、本体ユニットＦＵには放電灯Ｌａの消灯時に点灯される常夜灯ＮＬが設けられている。常夜灯ＮＬは、例えば図３に示すように、抵抗Ｒ２と複数個の発光ダイオードＬＥＤとトランジスタＴｒ２との直列回路からなり、制御部３は、トランジスタＴｒ２をオンオフすることにより常夜灯ＮＬを点灯・消灯制御するとともに、トランジスタＴｒ２を間欠点灯させることにより常夜灯ＮＬを調光制御する。
【００２８】
リモコンユニットＭＵには、図４に示すように、使用者によって押操作される押釦Ｂ１〜Ｂ７が設けられている。さらに、リモコンユニットＭＵには、押釦Ｂ１〜Ｂ７に加えられた操作に応じた制御信号を生成する送信制御部（図示せず）と、送信制御部によって制御され制御信号をワイヤレス信号として送信する送信部（図示せず）とが設けられている。具体的に説明すると、押釦Ｂ１は、放電灯Ｌａの全光点灯を指示する全光点灯釦Ｂ１と、放電灯Ｌａの調光点灯を指示する調光点灯釦Ｂ２と、放電灯Ｌａの消灯及び常夜灯ＮＬの点灯を指示する常夜灯点灯釦Ｂ３と、放電灯Ｌａと常夜灯ＮＬとの両方の消灯を支持する全消灯釦Ｂ４とを含む。さらに、押釦Ｂ１〜Ｂ７には、それぞれ放電灯Ｌａや常夜灯ＮＬの調光レベルと報知音の音量との一方の増大・減少を指示する調整釦Ｂ６，Ｂ７と、調整釦Ｂ６，Ｂ７による調整の対象の切り換えを指示する切替釦Ｂ５とが含まれている。すなわち、切替釦Ｂ５が押操作される度に、調整釦Ｂ６，Ｂ７による調整の対象が、放電灯Ｌａと常夜灯ＮＬとのうち点灯しているものの調光レベルと、報知音の音量との一方に交互に切り替わるようになっている。切替釦Ｂ５を設けたことにより、放電灯Ｌａや常夜灯ＮＬの調光レベルと報知音の音量とに対してそれぞれ調整釦Ｂ６，Ｂ７を設ける場合に比べ、リモコンユニットＭＵの部品点数を削減することができるから、小型化や製造コストの低減が可能となる。
【００２９】
さらに、本体ユニットＦＵは、点灯回路の駆動部１３、受信部２、制御部３、音出力部４、並びに常夜灯ＮＬにそれぞれ電源を供給する電源回路５を有する。電源回路５は、図５に示すように、３端子ＩＰＤ（例えば松下電器産業株式会社製のＭＩＰ２Ｅ３Ｄ）からなりドレイン端子が点灯回路のＰＦＣ部１１の平滑コンデンサＣ５に接続された制御素子ＩＣ５１を備える。制御素子ＩＣ５１のソース端子−コレクタ端子間には、インダクタＬ５１とツェナーダイオードＺＤ５１とダイオード５１との直列回路と、コンデンサＣ５１とが互いに並列に接続されている。インダクタＬ５１の両端間には、ダイオードＤ５２とコンデンサＣ５２との直列回路が接続されて降圧形コンバータが構成されている。制御素子ＩＣ５１は、ドレイン端子に接続されたＰＦＣ部１１の出力を電源とし、パルス電圧をソース端子−コレクタ端子間に出力する。すると、制御素子ＩＣ５１の出力の振幅とデューティ比とに応じた電圧がコンデンサＣ５１の両端間に生じ、このコンデンサＣ５１の両端電圧が出力電圧となる。各コンデンサＣ５，Ｃ５１，Ｃ５２はそれぞれ電解コンデンサからなり、各コンデンサＣ５，Ｃ５１，Ｃ５２にはそれぞれ例えばセラミックコンデンサからなるコンデンサＣ５６，Ｃ５４，Ｃ５３が並列に接続されている。さらに、コンデンサＣ５１の両端間には、過充電を防止するためにツェナーダイオードＺＤ５２が接続されている。
【００３０】
それぞれ異なる状態について、インダクタＬ５１に流れる電流を縦軸にとり、時間を横軸にとったグラフを図６の（ａ）〜（ｃ）に示す。放電灯Ｌａと常夜灯ＮＬとの一方が点灯していて報知音が出力されるときは、インダクタＬ５１に流れる電流は図６（ｂ）のようになる。常夜灯ＮＬが点灯していて報知音が出力されていないときは、制御部３は駆動部１３を停止させることによりＰＦＣ部１１の出力電圧を低下させる。この結果、図６（ａ）に示すように電流のピークは比較的に低くなる。ここで、制御素子ＩＣ５１は、出力される電力が所定の閾値よりも少なくなったときに間欠動作を開始するものである。放電灯Ｌａが点灯していて報知音が出力されていないときは、電源回路５から出力される電力が最も少なくなるが、上記閾値はこのとき制御素子ＩＣ５１が間欠動作を開始するように設定されている。制御素子ＩＣ５１が間欠動作を開始すると、インダクタＬ５１に流れる電流は図６（ｃ）に示すように間欠的となる。ここで、図６（ｃ）のような間欠動作を行う場合、制御素子ＩＣ５１からノイズが発生しやすくなるが、放電灯Ｌａの点灯時には図６（ｃ）のような間欠動作によって電源回路５の出力を低下させるのに対し、常夜灯ＮＬの点灯時には図６（ａ）のように電流のピークを低くすることにより電源回路５の出力を低下させて間欠動作は行わないから、ノイズによるちらつきが常夜灯ＮＬに発生しにくくなっている。
【００３１】
ここで、本実施形態では、制御部３は、常夜灯ＮＬ点灯時には放電灯Ｌａ点灯時よりも報知音の音量を小さくする。このため、図７に示すように、放電灯Ｌａが点灯しているときと常夜灯ＮＬが点灯しているときとで電源回路５から出力される電力が同程度となっている。従って、放電灯Ｌａが点灯しているときと常夜灯ＮＬが点灯しているときとで報知音の音量を共通とする場合に比べ、常夜灯ＮＬ点灯時の回路部品への電気的ストレスが軽減されている。
【００３２】
さらに、制御部３は、放電灯Ｌａや常夜灯ＮＬの調光時には、調光レベル（放電灯Ｌａや常夜灯の光出力）が低いほど、報知音の音量を小さくする。
【００３３】
上記構成によれば、常夜灯ＮＬを点灯させているときには放電灯Ｌａを点灯させているときよりも報知音の音量を小さくし、放電灯Ｌａや常夜灯ＮＬを調光点灯させているときには放電灯Ｌａや常夜灯ＮＬを全光点灯させているときよりも報知音の音量を小さくすることにより、使用者がリラックスする可能性が高い調光点灯時や常夜灯ＮＬ使用時には報知音の音量を比較的に低くして不快感を低減し、使用者が覚醒しており使用者の耳に他の音が入っている可能性が高い全光点灯時や放電灯Ｌａ使用時には報知音の音量を比較的に大きくして報知音を聞き取りやすくしているから、報知音の音量を一定とする場合に比べて報知音をより適切な音量としているということができる。
【００３４】
なお、調光レベルに応じて報知音の音量を変化させるに当たっては、連続的に変化させてもよいし、例えば光出力が２５％未満と２５％以上とで報知音の音量を異ならせるといったように、段階的に変化させてもよい。
【００３５】
また、図８に示すように例えばフォトダイオードからなる受光部（図示せず）を有し受光部に受けた光を電気信号に変換することにより周囲の照度を検出する照度検出部６を設け、制御部３は照度検出部６によって検出された照度が所定の閾値を超えるときに報知音の音量を大きくするものとしてもよい。この構成を採用すれば、他に照明装置が存在して広い部屋である可能性が高い場合に、報知音の音量を比較的に大きくして報知音を聞き取りやすくすることができる。ここで、上記閾値は１個に限られず、閾値を複数個として検知された照度がより高い閾値を超えたときにより音量を大きくするようにしてもよい。また、照度検出部６によって検出された照度が例えば放電灯Ｌａの全光点灯時の照度と同程度以上であったときに、放電灯Ｌａの調光点灯中や常夜灯ＮＬの点灯中であったとしても、制御部３が報知音の音量を放電灯Ｌａの全光点灯時と同程度とすれば、使用者が覚醒しており使用者の耳に他の音が入っている可能性が高い昼間にも、放電灯Ｌａの全光点灯時と同様に報知音を聞き取りやすくすることができる。
【００３６】
さらに、図９に示すように透光性を有する材料からなりハウジング７１と放電灯Ｌａとを覆うグローブ７２を備える場合、矢印で示すように放電灯Ｌａの光の一部はグローブ７２の内面で反射する。従って、上記の照度検出部６の受光部をグローブ７２の内面に向けて設ければ、グローブ７２が開口を有さない密閉形である場合には、グローブ７２が側面や下面に開口を有する開放形である場合よりも、照度検出部６に検出される照度が高くなる。ここで、グローブ７２が密閉形である場合にはグローブ７２が開放形である場合よりも報知音が聞こえにくくなるが、図８の構成を採用すれば、グローブ７２が密閉形である場合にはグローブ７２の内面での反射光で照度検出部６に検出される照度が高くなることにより、報知音の音量がグローブ７２の形状に応じた適切な音量となる効果が期待できる。
【００３７】
また、図１０に示すように周囲の音を電気信号に変換する音検出部８を設け、制御部３は音検出部８によって検出された音の音量が大きいほど報知音の音量を大きくするものとしてもよい。この構成を採用すれば、使用者の周囲の音の大きさに合わせて報知音の音量を大きくして報知音を確実に聞き取れるようにすることができる。なお、音検出部８による報知音の音量の変更は連続的なものであってもよいが、例えば音検出部８によって検出された音量が所定の閾値を超えているときに報知音の音量を大きくするといったように段階的なものであってもよい。
【００３８】
さらに、上述した実施形態において、報知音の音量を大きくするときに報知音の音質も人にとってより刺激の強いもの（例えば、より聞き取られやすい周波数）とし、報知音の音量を小さくするときに報知音の音質も人にとってより刺激の弱いもの（例えば、より聞き取られにくい周波数）とすれば、より適切な報知音となる。
【００３９】
また、上記では報知音として放電灯Ｌａや常夜灯ＮＬの点灯状態の切り替えを報知するものを例に挙げて説明したが、放電灯Ｌａの寿命末期や無負荷状態等の異常を検出する機能を有する照明装置や、リモコンユニットＭＵからのワイヤレス信号に応じて放電灯Ｌａの点灯状態に応じた消費電力を報知する機能を有する照明装置において、異常や消費電力を報知する報知音に本発明を適用してもよい。さらに、報知音だけでなく、例えば小鳥のさえずりのような環境音や音楽を発する機能を有する照明装置における環境音や音楽について、音量や音質を報知音と同様に変更してもよい。
【図面の簡単な説明】
【００４０】
【図１】本発明の実施形態における本体ユニットの要部を示すブロック図である。
【図２】同上の点灯回路を示す回路図である。
【図３】同上の常夜灯の構成の一例を示す回路図である。
【図４】同上のリモコンユニットを示す正面図である。
【図５】同上の電源回路を示す回路図である。
【図６】同上の電源回路の動作を示す説明図であり、（ａ）〜（ｃ）はそれぞれ異なる状態でインダクタに流れる電流の時間変化を示す。
【図７】同上の動作を示す説明図である。
【図８】同上の別の形態の要部を示すブロック図である。
【図９】同上の別の形態における本体ユニットを示す断面図である。
【図１０】同上の更に別の形態の要部を示すブロック図である。
【符号の説明】
【００４１】
２  受信部
３  制御部
４  音出力部
５  電源回路
６  照度検出部
８  音検出部
Ｌａ  放電灯
ＮＬ  常夜灯
ＳＰ  スピーカ
【図１】
2007005255.tif 000003
【図２】
2007005255.tif 000004
【図３】
2007005255.tif 000005
【図４】
2007005255.tif 000006
【図５】
2007005255.tif 000007
【図６】
2007005255.tif 000008
【図７】
2007005255.tif 000009
【図８】
2007005255.tif 000010
【図９】
2007005255.tif 000011
【図１０】
2007005255.tif 000012